(57)【特許請求の範囲】
【請求項１】
室内に吹出口が開口するケースの内部に複数枚のルーバーを互いに平行且つ連動して回動可能に配置し、隣接するルーバーの端縁同士が全閉時に重ならず、両者間に微小隙間が形成される空調用ベンチレータにおいて、
前記複数枚のルーバーを、前記吹出口の最も室内側に配置され、幅方向に長く上下方向に複数枚配される手前側のルーバーと、該手前側のルーバーの奥側に垂直に複数枚配される奥側のルーバーとで構成し、前記手前側のルーバーと前記奥側のルーバーとを風の流れ方向に沿って設け、前記各ルーバーの少なくとも一端裏側に突起を形成するとともに、前記突起を前記吹出口の最も室内側に配置される前記手前側のルーバーに形成し、前記突起を前記微小隙間に向けて突設したことを特徴とする空調用ベンチレータ。
【請求項２】
前記突起を前記手前側の各ルーバーの長手方向全長に亘って形成したことを特徴とする請求項１に記載の空調用ベンチレータ。
【発明の詳細な説明】
【技術分野】
【０００１】
本発明は、室内に開口する吹出口に複数枚のルーバーを互いに平行且つ連動して回動可能に配置して成る空調用ベンチレータに関するものである。
【背景技術】
【０００２】
例えば、車両の室内は暖房や冷房等の空調がなされるが、室内に冷気や暖気を吹出口から室内に吹き出すための空調用ベンチレータには、風向を調整するための複数枚のルーバーが互いに平行且つ連動して回動可能に配置されている。通常、ルーバーは、吹出口の風の吹出方向に沿って前後２段（室内側とその奥側）に亘ってそれぞれ設けられており、これらのルーバーの向きを変更することによって風向を上下と左右にそれぞれ調整することができるよう構成されている。
【０００３】
斯かる空調用ベンチレータには、最も室内側に配置されるルーバーを全閉にして吹出口からの風の吹き出しを遮断したときに、隣接するルーバーの端縁同士が重ならず、全ルーバーがフラットとなるようにしたものがある。このようにすることによって、空調用ベンチレータを例えば車両のインストルメントパネル等の乗員の目に付き易い内装部品に設けた場合であっても、フラットでスムーズな意匠面を構成して高い室内外観を得ることができる。
【０００４】
ところで、空調用ベンチレータに関して特許文献１には、室内側とその奥側に設けられた前方ルーバーと後方ルーバーのうち、後方ルーバーの後端部に、隣設する後方ルーバーに向かって延びる突状部を設けることによって、後方ルーバーを後方に長くすることなく、流入側の風向に対して各後方ルーバー間にラップを生じさせ、全ての空気流を後方ルーバーに当てて該後方ルーバーによる風向変更効果を高めるようにした提案がなされている。
【先行技術文献】
【特許文献】
【０００５】
【特許文献１】実公平３−０２８２５３号公報
【発明の概要】
【発明が解決しようとする課題】
【０００６】
ところで、最も室内側に配置されるルーバーを全閉にして吹出口からの風の吹き出しを遮断したときに、隣接するルーバーの端縁同士が重ならず、全ルーバーがフラットとなるよう構成された空調用ベンチレータにおいては、図６の部分側断面図に示すようにルーバー１０５を全閉にした際に隣接するルーバー１０５の端縁間に微小隙間δが不可避的に形成され、この微小隙間δを風が矢印にて示すように層流となって通過するため、高音で耳障りな笛吹き音が発生し、室内の静粛性が害されるという問題があった。斯かる問題は特許文献１において提案された構成によっても解決し得るものではない。
【０００７】
本発明は上記問題に鑑みてなされたもので、その目的とする処は、簡単な構成で笛吹き音の発生を抑えて室内に高い静粛性を確保することができる空調用ベンンチレータを提供することにある。
【課題を解決するための手段】
【０００８】
上記目的を達成するため、請求項１記載の発明は、室内に吹出口が開口するケースの内部に複数枚のルーバーを互いに平行且つ連動して回動可能に配置し、隣接するルーバーの端縁同士が全閉時に重ならず、両者間に微小隙間が形成される空調用ベンチレータにおいて、前記複数枚のルーバーを、前記吹出口の最も室内側に配置され、幅方向に長く上下方向に複数枚配される手前側のルーバーと、該手前側のルーバーの奥側に垂直に複数枚配される奥側のルーバーとで構成し、前記手前側のルーバーと前記奥側のルーバーとを風の流れ方向に沿って設け、前記各ルーバーの少なくとも一端裏側に突起を形成するとともに、前記突起を前記吹出口の最も室内側に配置される前記手前側のルーバーに形成し、前記突起を前記微小隙間に向けて突設したことを特徴とする。
【００１０】
請求項２記載の発明は、請求項１記載の発明において、前記突起を前記手前側の各ルーバーの長手方向全長に亘って形成したことを特徴とする。
【発明の効果】
【００１２】
請求項１記載の発明によれば、前記複数枚のルーバーを、前記吹出口の最も室内側に配置され、幅方向に長く上下方向に複数枚配される手前側のルーバーと、該手前側のルーバーの奥側に垂直に複数枚配される奥側のルーバーとで構成し、前記手前側のルーバーと前記奥側のルーバーとを風の流れ方向に沿って設け、前記各ルーバーの少なくとも一端裏側に突起を形成するとともに、前記突起を前記吹出口の最も室内側に配置される前記手前側のルーバーに形成し、前記突起を前記微小隙間に向けて突設したため、意匠性等の観点から全閉時に端縁同士が重ならないように構成される最も室内側のルーバーであり、該ルーバーを全閉にした際に隣接するルーバーの端縁間に形成される微小隙間を風が通過する前にその流れが突起によって効果的に乱され、風は乱流となって微小隙間を通過する。このため、従来発生していた高音で耳障りな笛吹き音の発生が確実に抑えられ、室内に高い静粛性が確保される。
【００１４】
請求項２記載の発明によれば、突起を手前側の各ルーバーの長手方向全長に亘って形成したため、ルーバーの全閉時に形成される微小隙間の全長に沿って突起が配置されることとなり、この微小隙間を通過する風の全てが突起によって乱流となって流れる。このため、風が隙間を通過する際の笛吹き音の発生が確実に防がれ、室内の静粛性が一段と高められる。
【図面の簡単な説明】
【００１６】
【図１】本発明に係る空調用ベンチレータの斜視図である。
【図２】本発明に係る空調用ベンチレータの全閉時の斜視図である。
【図３】図２のＡ−Ａ線断面図である。
【図４】図３のＢ部拡大詳細図である。
【図５】本発明に係る空調用ベンチレータのルーバーの斜視図である。
【図６】従来の空調用ベンチレータの全閉時のルーバー間の隙間を風が流れる様子を示す部分側断面図である。
【発明を実施するための形態】
【００１７】
以下に本発明の実施の形態を添付図面に基づいて説明する。
【００１８】
図１は本発明に係る空調用ベンチレータの斜視図、図２は同空調用ベンチレータの全閉時の斜視図、図３は図２のＡ−Ａ線断面図、図４は図３のＢ部拡大詳細図、図５はルーバーの斜視図である。
【００１９】
本実施の形態に係る空調用ベンチレータ１は、車両に設置されるものであって、車室内の運転席前方に車幅方向に配された不図示のインストルメントパネルに組み込まれ、冷気や暖気等の空調用空気を車室に向けて吹き出す機能を果たす。この空調用ベンチレータ１は、図１〜図３に示すように、矩形ダクト状のケース２を備えており、このケース２の車室側端面には矩形の吹出口３が開口している。ここで、ケース２の吹出口３が開口する車室側端面は、該ケース２の周囲を囲むインストルメントパネルの意匠面の傾斜に沿って斜めに形成されている。
【００２０】
そして、上記ケース２の内部には複数枚のルーバー４，５が風の流れ方向に沿って２段に亘って設けられている。即ち、ケース２の最も室内側に位置する吹出口３には幅方向に長い水平なフィン状の５枚のルーバー５が上下方向に配され、その奥側には垂直に起立するフィン状の４枚のルーバー４が配されている。
【００２１】
ここで、手前側のルーバー５の１つを図５に示すが、該ルーバー５は、幅方向に長いフィン状の本体５ａの下端両側部に軸５ｂを外側方に向けて水平に突設して構成されているが、一方（図５の右側）の軸５ｂの端部には該軸５ｂに対してオフセットしたクランク軸５ｃが形成されている。
【００２２】
而して、ケース２の吹出口３には水平な５枚のルーバー５が上下方向に適当な間隔で互いに平行且つ連動して回動可能に配置されている。そして、上下方向において中段（上から３段目）のルーバー５の幅方向中央には調整つまみ６が一体に突設されており、この調整つまみ６を把持してこれを上下に動かすことによって全ルーバー５が軸５ｂを中心として上下に回動して風の上下の吹出方向が調整されるとともに、吹出口３が開閉される。ここで、図１及び図２に示すように、５枚の各ルーバー５の左右に形成された軸５ｂはケース２の左右の側壁に回動可能に支持され、一側に形成されたクランク軸５ｃはケース２の外側一側に配された薄いプレート状のリンクロッド７に連結されている。従って、前述のように調整つまみ６を上下に操作して中央の１つのルーバー５を軸５ｂを中心として上下方向に回動させれば、その回動はリンクロッド７とクランク軸５ｃを介して他の４枚のルーバー５に伝達されるため、全ルーバー５が連動して上下方向に回動する。
【００２３】
そして、図１に示すようにルーバー５によってケース２の吹出口３を開くと、吹出口３から風が車室内に吹き出すが、図２及び図３に示すようにルーバー５によって吹出口３を全閉すると該吹出口３からの風の吹き出しが遮断される。
【００２４】
ところで、本実施の形態に係る空調用ベンチレータ１は、図２及び図３に示すようにルーバー５を全閉にして吹出口３からの風の吹き出しを遮断したときに、上下に隣接するルーバー５の端縁同士が重ならず、全ルーバー５がフラットとなるよう構成されている。このように構成することによって、本実施の形態のように乗員の目に付き易いインストルメントパネルに空調用ベンチレータ１を設けた場合であっても、インストメントパネル全体にフラットでスムーズな意匠面が形成されて高い室内外観を得ることができる。
【００２５】
他方、上記ルーバー５の奥側には垂直に起立する４枚のフィン状のルーバー４が幅方向に適当な間隔で互いに平行に配されており、各ルーバー４は、その上下に突設された軸４ａをケース２の上下の壁に回動可能に支承することによって左右に回動可能に配されている。ここで、４枚のルーバー４は、図３に示すようにケース２の下方に配されたリンク機構８を介して円形の調整ダイヤル９に連結されており、調整ダイヤル９を回すことによって全ルーバー４が上下の軸４ａを中心としてそれぞれ左右に回動し、これを通過する風の左右の流れ方向が調整される。
【００２６】
従って、本実施の形態に係る空調用ベンチレータ１においては、不図示のファンからケース２へと送られる風（冷気、暖気或いは換気等の空調用空気）は、先ず奥側のルーバー４によって左右の流れ方向が調整された後、手前側のルーバー５によって上下の流れ方向が調整されて吹出口３から車室内へと吹き出して車室内の空調に供される。
【００２７】
ところで、本実施の形態に係る空調用ベンチレータ１は、図２及び図３に示すようにルーバー５を全閉にして吹出口３からの風の吹き出しを遮断したときに、上下に隣接するルーバー５の端縁同士が重ならず、全ルーバー５がフラットとなるよう構成されているため、ルーバー５を全閉にした際に隣接するルーバー５の端縁間に微小隙間δが不可避的に形成される。このとき、各微小隙間δを風が層流となって通過するために耳障りな高音の笛吹き音が発生し、車室内の静粛性が害されるという問題があったことは前述の通りである。
【００２８】
そこで、本実施の形態では、図４及び図５に示すように、ケース２の吹出口３に設けられた手前側の各ルーバー５の上端裏側に断面半円状の突起１０を全幅に亘って一体に形成している。ここで、各突起１０は、図４に示すように、ルーバー５を全閉したときに各ルーバー５間に形成される微小隙間δに向けて突設されている。尚、本実施の形態では、突起１０を断面半円状とし、その高さを０．３ｍｍに設定したが、突起１０の形状は任意である。又、本実施の形態では、突起１０を各ルーバー５の上端裏側に突設したが、各ルーバー５の下端裏側にも同様の突起１０を突設しても良い。
【００２９】
而して、本実施の形態では、各ルーバー５の上端裏側に突起１０を形成したため、ルーバー５を全閉にした際に隣接するルーバー５の端縁間に形成される微小隙間δを風が通過する前にその流れが突起１０によって乱され、図４に示すように風は乱流となって微小隙間δを通過する。このため、従来発生していた高音で耳障りな笛吹き音の発生が抑えられ、車室内に高い静粛性が確保される。この場合、意匠性等の観点から全閉時に端縁同士が重ならないよう構成されるのは最も室内側に近い手前側のルーバー５であり、このルーバー５間に隙間δが形成されるため、該ルーバー５に突起１０を形成することによって笛吹き音の発生が抑制される。
【００３０】
又、本実施の形態では、図５に示すように突起１０を各ルーバー５の全幅に亘って形成したため、ルーバー５の全閉時に形成される微小隙間δの全幅に沿って突起１０が配置されることとなり、この微小隙間δを通過する風の全てが突起１０によって乱されて乱流となって流れる。このため、風が微小隙間δを通過する際の笛吹き音の発生が一層確実に防がれ、車室内の静粛性が一段と高められる。
【００３１】
更に、本実施の形態では、各ルーバー５に形成された突起１０を微小隙間δに向けて突設したため、微小隙間δに向かって流れる風が一層効果的に乱されて乱流となり、風が微小隙間δを通過する際の笛吹き音の発生がより確実に抑制されるという効果が得られる。
【００３２】
尚、以上は本発明を車両用の空調用ベンチレータに対して適用した形態について説明したが、本発明は、車両以外の他の任意の設備や機器に設置される空調用ベンチレータに対しても同様に適用可能であることは勿論である。
【符号の説明】
【００３３】
１      空調用ベンチレータ
２      ケース
３      吹出口
４      ルーバー
４ａ    ルーバーの軸
５      ルーバー
５ａ    ルーバーの本体
５ｂ    ルーバーの軸
５ｃ    ルーバーのクランク軸
６      調整つまみ
７      リンクロッド
８      リンク機構
９      調整ダイヤル
１０    突起
δ      微小隙間
【図１】
0005625504.tif 000002
【図２】
0005625504.tif 000003
【図３】
0005625504.tif 000004
【図４】
0005625504.tif 000005
【図５】
0005625504.tif 000006
【図６】
0005625504.tif 000007